(57)【要約】  遷移経路決定部４は、遷移表記憶部３が記憶する階層構造を参照して、出力部９が表示中の現在画面から、入力部１を介してユーザからショートカット操作を受け付けた遷移先画面に至るまでの遷移経路を決定する。遷移間アニメーション取得部５が遷移経路に含まれる各遷移間アニメーションを遷移間アニメーション表記憶部６から取得し、遷移間アニメーション制御部７が遷移経路中の遷移階層数に応じて再生速度を制御し、出力部９がその再生速度で遷移間アニメーションを順に表示して遷移先画面へ遷移する。
2014013529.tif 000002
【特許請求の範囲】
【請求項１】
複数のオブジェクトの遷移順序を記憶している遷移表記憶部と、
任意のオブジェクトから前記遷移順序に沿って１つ次のオブジェクトへフォーカスを移動するときに表示する遷移間アニメーションを記憶している遷移間アニメーション表記憶部と、
フォーカスするオブジェクトの指示を外部から受け付ける入力部と、
フォーカス中のオブジェクトから前記入力部がフォーカス指示を受け付けた遷移先のオブジェクトに至るまでの遷移経路を、前記遷移順序に基づいて決定する遷移経路決定部と、
前記遷移経路決定部が決定した遷移経路上に存在する各オブジェクトの遷移間アニメーションを、前記遷移間アニメーション表記憶部から取得する遷移間アニメーション取得部と、
前記遷移経路決定部が決定した遷移経路上に存在するオブジェクト数に応じて、または前記遷移間アニメーション取得部が取得した各遷移間アニメーションの合計時間に応じて、当該各遷移間アニメーションの再生速度を制御する遷移間アニメーション制御部と、
前記フォーカス中のオブジェクトから前記遷移先のオブジェクトへフォーカスを移動するときに、前記遷移間アニメーション取得部が取得した各遷移間アニメーションを前記遷移間アニメーション制御部が制御した再生速度で表示する出力部とを備える情報表示装置。
【請求項２】
前記出力部は、複数のオブジェクトのうち、フォーカス中のオブジェクトのみ画面表示し、
前記遷移間アニメーション表記憶部は、遷移間アニメーションとして、前記出力部の画面に直交する奥行き方向に向かって遷移順序に従って並んだオブジェクト間を遷移するアニメーションを記憶していることを特徴とする請求項１記載の情報表示装置。
【請求項３】
前記出力部は、複数のオブジェクトを遷移順序に従って並べて画面表示し、フォーカス中のオブジェクトをその他のオブジェクトとは異なる表示態様で表示し、
前記遷移間アニメーション表記憶部は、遷移間アニメーションとして、前記出力部の画面上に並んだ前記オブジェクト間をフォーカスが移動するアニメーションを記憶していることを特徴とする請求項１記載の情報表示装置。
【請求項４】
前記遷移間アニメーション制御部は、フォーカスの移動距離に応じて、遷移間アニメーションの再生速度を制御することを特徴とする請求項３記載の情報表示装置。
【請求項５】
前記出力部は、遷移間アニメーション数と同数の効果音を同期して出力することを特徴とする請求項１記載の情報表示装置。
【請求項６】
遷移順序が規定された複数のオブジェクトのうち、フォーカスするオブジェクトの指示を外部から受け付ける入力ステップと、
フォーカス中のオブジェクトから前記入力ステップでフォーカス指示を受け付けた遷移先のオブジェクトに至るまでの遷移経路を、前記遷移順序に基づいて決定する遷移経路決定ステップと、
任意のオブジェクトから前記遷移順序に沿って１つ次のオブジェクトへフォーカスを移動するときに表示する遷移間アニメーションを記憶している遷移間アニメーション表記憶部から、前記遷移経路決定ステップで決定した遷移経路上に存在する各オブジェクトの遷移間アニメーションを取得する遷移間アニメーション取得ステップと、
前記遷移経路決定ステップで決定した遷移経路上に存在するオブジェクト数に応じて、または前記遷移間アニメーション取得ステップで取得した各遷移間アニメーションの合計時間に応じて、当該各遷移間アニメーションの再生速度を制御する遷移間アニメーション制御ステップと、
前記フォーカス中のオブジェクトから前記遷移先のオブジェクトへフォーカスを移動するときに、前記遷移間アニメーション取得ステップで取得した各遷移間アニメーションを前記遷移間アニメーション制御ステップで制御した再生速度で表示する出力ステップとを備える表示切替方法。
【請求項７】
複数のオブジェクトの遷移順序を記憶している遷移表記憶手段と、
任意のオブジェクトから前記遷移順序に沿って１つ次のオブジェクトへフォーカスを移動するときに表示する遷移間アニメーションを記憶している遷移間アニメーション表記憶手段と、
フォーカスするオブジェクトの指示を外部から受け付ける入力手段と、
フォーカス中のオブジェクトから前記入力手段がフォーカス指示を受け付けた遷移先のオブジェクトに至るまでの遷移経路を、前記遷移順序に基づいて決定する遷移経路決定手段と、
前記遷移経路決定手段が決定した遷移経路上に存在する各オブジェクトの遷移間アニメーションを、前記遷移間アニメーション表記憶手段から取得する遷移間アニメーション取得手段と、
前記遷移経路決定手段が決定した遷移経路上に存在するオブジェクト数に応じて、または前記遷移間アニメーション取得手段が取得した各遷移間アニメーションの合計時間に応じて、当該各遷移間アニメーションの再生速度を制御する遷移間アニメーション制御手段と、
前記フォーカス中のオブジェクトから前記遷移先のオブジェクトへフォーカスを移動するときに、前記遷移間アニメーション取得手段が取得した各遷移間アニメーションを前記遷移間アニメーション制御手段が制御した再生速度で表示する出力手段とを、コンピュータに実行させるための表示切替プログラム。
【発明の詳細な説明】
【技術分野】
【０００１】
この発明は、ＧＵＩ（グラフィカルユーザインタフェース）の画面遷移をアニメーションで表現する情報表示装置、表示切替方法および表示切替プログラムに関する。
【背景技術】
【０００２】
階層構造のメニュー（機能）を持つＧＵＩは、メニュー数が多くなると階層が深くなる。そのため、目的の画面または機能に辿り着くまでの操作回数が多くなり、操作完了までの時間が長くなってしまう。そこで、操作回数を減らすために、ショートカットボタンまたは音声入力などを利用したショートカット操作を用意したものがあった。しかしながら、ショートカット操作においても、通常操作と同じように瞬間的にショートカット先へ画面遷移するため、どの経路を辿ってショートカット遷移したかユーザには分かり難かった。【０００３】
そこで、例えば特許文献１では、現在表示中の画面からショートカット先の画面に至るまでの全ての画面を辿る遷移経路をアニメーションで表現し、ユーザがメニューの階層構造を把握することができるようにしていた。
【先行技術文献】
【特許文献】
【０００４】
【特許文献１】特開２００８−２７００９号公報
【発明の概要】
【発明が解決しようとする課題】
【０００５】
しかしながら、ショートカット先の階層が深く遷移経路が長い場合、アニメーション時間も長くなる。そのため、ユーザはアニメーションが終了するまで次の操作ができず、操作性が損なわれてしまうという課題があった。【０００６】
この発明は、上記のような課題を解決するためになされたもので、遷移経路をアニメーションで表現してユーザの利便性を確保しつつ、操作性を損なわない情報表示装置、表示切替方法および表示切替プログラムを提供することを目的とする。
【課題を解決するための手段】
【０００７】
この発明の情報表示装置は、複数のオブジェクトの遷移順序を記憶している遷移表記憶部と、任意のオブジェクトから遷移順序に沿って１つ次のオブジェクトへフォーカスを移動するときに表示する遷移間アニメーションを記憶している遷移間アニメーション表記憶部と、フォーカスするオブジェクトの指示を外部から受け付ける入力部と、フォーカス中のオブジェクトから入力部がフォーカス指示を受け付けた遷移先のオブジェクトに至るまでの遷移経路を、遷移順序に基づいて決定する遷移経路決定部と、遷移経路決定部が決定した遷移経路上に存在する各オブジェクトの遷移間アニメーションを、遷移間アニメーション表記憶部から取得する遷移間アニメーション取得部と、遷移経路決定部が決定した遷移経路上に存在するオブジェクト数に応じて、または遷移間アニメーション取得部が取得した各遷移間アニメーションの合計時間に応じて、当該各遷移間アニメーションの再生速度を制御する遷移間アニメーション制御部と、フォーカス中のオブジェクトから遷移先のオブジェクトへフォーカスを移動するときに、遷移間アニメーション取得部が取得した各遷移間アニメーションを遷移間アニメーション制御部が制御した再生速度で表示する出力部とを備えるものである。【０００８】
この発明の表示切替方法は、遷移順序が規定された複数のオブジェクトのうち、フォーカスするオブジェクトの指示を外部から受け付ける入力ステップと、フォーカス中のオブジェクトから入力ステップでフォーカス指示を受け付けた遷移先のオブジェクトに至るまでの遷移経路を、遷移順序に基づいて決定する遷移経路決定ステップと、任意のオブジェクトから遷移順序に沿って１つ次のオブジェクトへフォーカスを移動するときに表示する遷移間アニメーションを記憶している遷移間アニメーション表記憶部から、遷移経路決定ステップで決定した遷移経路上に存在する各オブジェクトの遷移間アニメーションを取得する遷移間アニメーション取得ステップと、遷移経路決定ステップで決定した遷移経路上に存在するオブジェクト数に応じて、または遷移間アニメーション取得ステップで取得した各遷移間アニメーションの合計時間に応じて、当該各遷移間アニメーションの再生速度を制御する遷移間アニメーション制御ステップと、フォーカス中のオブジェクトから遷移先のオブジェクトへフォーカスを移動するときに、遷移間アニメーション取得ステップで取得した各遷移間アニメーションを遷移間アニメーション制御ステップで制御した再生速度で表示する出力ステップとを備えるものである。【０００９】
この発明の表示切替プログラムは、複数のオブジェクトの遷移順序を記憶している遷移表記憶手段と、任意のオブジェクトから遷移順序に沿って１つ次のオブジェクトへフォーカスを移動するときに表示する遷移間アニメーションを記憶している遷移間アニメーション表記憶手段と、フォーカスするオブジェクトの指示を外部から受け付ける入力手段と、フォーカス中のオブジェクトから入力手段がフォーカス指示を受け付けた遷移先のオブジェクトに至るまでの遷移経路を、遷移順序に基づいて決定する遷移経路決定手段と、遷移経路決定手段が決定した遷移経路上に存在する各オブジェクトの遷移間アニメーションを、遷移間アニメーション表記憶手段から取得する遷移間アニメーション取得手段と、遷移経路決定手段が決定した遷移経路上に存在するオブジェクト数に応じて、または遷移間アニメーション取得手段が取得した各遷移間アニメーションの合計時間に応じて、当該各遷移間アニメーションの再生速度を制御する遷移間アニメーション制御手段と、フォーカス中のオブジェクトから遷移先のオブジェクトへフォーカスを移動するときに、遷移間アニメーション取得手段が取得した各遷移間アニメーションを遷移間アニメーション制御手段が制御した再生速度で表示する出力手段とを、コンピュータに実行させるものである。
【発明の効果】
【００１０】
この発明によれば、フォーカス中のオブジェクトから遷移先のオブジェクトへフォーカスを移動するときに表示する各遷移間アニメーションの再生速度を、遷移経路上に存在するオブジェクト数に応じて、または各遷移間アニメーションの合計時間に応じて制御することにより、ショートカット先までの遷移経路が長い場合でも遷移間アニメーションを素早く終了することができる。このため、遷移経路をアニメーションで表現してユーザの利便性を確保しつつ、操作性を損なわない情報表示装置、表示切替方法および表示切替プログラムを提供することができる。
【図面の簡単な説明】
【００１１】
【図１】この発明の実施の形態１に係る情報表示装置の構成を示すブロック図である。
【図２】実施の形態１の遷移表記憶部が保持する遷移表の模式図である。
【図３】実施の形態１の遷移経路決定部が保持する遷移経路決定のルールを示す図である。
【図４】実施の形態１の遷移間アニメーション表記憶部が記憶している遷移間アニメーション表を示す図である。
【図５】遷移間アニメーションの具体例を示す図である。
【図６】実施の形態１の制御条件記憶部が記憶している制御条件を示す図である。
【図７】実施の形態１に係る情報表示装置の動作を示すフローチャートである。
【図８】ショートカット操作時（例１）に情報表示装置が生成する情報一覧を示す図である。
【図９】ショートカット操作時（例２）に情報表示装置が生成する情報一覧を示す図である。
【図１０】ショートカット操作時（例３）に情報表示装置が生成する情報一覧を示す図である。
【図１１】実施の形態１の制御条件記憶部が記憶している制御条件の別の例を示す図である。
【図１２】この発明の実施の形態２に係る情報表示装置を適用したカーナビゲーションシステムの表示画面例である。
【図１３】実施の形態２の遷移経路決定部が保持する遷移経路決定のルールを示す図である。
【図１４】実施の形態２の遷移間アニメーション表記憶部が記憶している遷移間アニメーション表を示す図である。
【図１５】遷移間アニメーションの具体例を示す図である。
【図１６】実施の形態２の制御条件記憶部が記憶している制御条件の例を示す図である。
【図１７】実施の形態２に係る情報表示装置の別の表示画面例である。
【図１８】実施の形態２に係る情報表示装置の別の表示画面例である。
【発明を実施するための形態】
【００１２】
以下、この発明をより詳細に説明するために、この発明を実施するための形態について、添付の図面に従って説明する。
実施の形態１．
図１に示す情報表示装置は、入力部１、遷移位置取得部２、遷移表記憶部３、遷移経路決定部４、遷移間アニメーション取得部５、遷移間アニメーション表記憶部６、遷移間アニメーション制御部７、制御条件記憶部８および出力部９から構成されている。以下では、この情報表示装置をカーナビゲーションシステム（以下、カーナビ）に適用した場合を例に用いて、情報表示装置を説明する。
【００１３】
図２に、カーナビが有する画面および機能の階層構造を示す。図２において実線で接続された画面同士は機能上の関連がある親子関係の階層構造になっている。また、図面紙上、上方へ行くほど上位階層になり、下方へ行くほど下位階層になる。
なお、本実施の形態１においてオブジェクトとは画面または機能であり、階層構造状の遷移順序が規定されているものとする。そして、フォーカス中の画面または機能が出力部９の画面全体に表示されるものとする。
【００１４】
最上位階層のトップ画面１０は、カーナビ起動時に表示される初期画面であり、ナビ、ＦＭなどのメニューボタンを表示している。トップ画面１０のナビボタンが操作されると、下層のナビメニュー画面１１に遷移し、他方、ＦＭボタンが操作されるとＦＭラジオ聴取画面３１に遷移する。
【００１５】
ナビメニュー画面１１は、自車の現在地周辺の地図画像を表示すると共に、目的地を検索する機能を実行するための目的地ボタン、周辺施設を検索する機能を実行するための周辺施設ボタン、予め登録されている自宅周辺の地図画像を表示する機能を実行するための自宅ボタンを表示している。
【００１６】
例えば、ユーザが特定のホテルのブランド（例えば、Ａホテル）を探したい場合、ナビメニュー画面１１の目的地ボタンを押下して、下層の目的地検索メニュー画面１２に遷移させ、続いて施設名称ボタンを押下して施設名称検索画面１３に遷移させ、続いて「Ａホテル」と文字入力して施設名称検索結果画面１４に遷移させる。
また例えば、ユーザが現在地周辺のコンビニエンスストア（以下、コンビニ）を探したい場合、ナビメニュー画面１１の周辺施設ボタンを押下して下層の周辺施設一覧画面２２に遷移させ、続いて「コンビニ」の項目を押下してコンビニエンスストア一覧画面２４に遷移させ、「全てのコンビニ」の項目を押下して全てのコンビニエンスストア一覧画面２５に遷移させる。
【００１７】
他方、ＦＭラジオ聴取画面３１には、Ａ放送局を選局する機能、Ｂ放送局を選局する機能などが紐付いている。ユーザがＡ放送局を聴取したい場合、トップ画面１０のＦＭボタンを押下してＦＭラジオ聴取画面３１に遷移させ、このＦＭラジオ聴取画面３１上でＡ放送局を選局する操作を行い、機能を実行させる。
【００１８】
このように、通常操作では、１階層ずつ画面を遷移して目的の画面に辿り着き、目的の機能を実行する。一方、ショートカット操作では、あるボタンを押下する、またはあるキーワードを音声入力するといった単純な操作で、直接、目的の画面を呼び出す、または目的の機能を実行することができる。例えば、目的地検索メニュー画面１２においてユーザが「Ａホテル」と発話した場合、カーナビは目的地検索メニュー画面１２から施設名称検索結果画面１４へ直接遷移する（後述する例１）。また例えば、目的地検索メニュー画面１２においてユーザが「コンビニ」と発話した場合、カーナビは目的地検索メニュー画面１２から全てのコンビニエンスストア一覧画面２５へ直接遷移する（例２）。また例えば、目的地検索メニュー画面１２においてユーザが「Ａ放送局」と発話した場合、カーナビはＦＭラジオ聴取画面３１へ直接遷移し、Ａ放送局の選局を実行する（例３）。
【００１９】
このようなショートカット操作時、情報表示装置は、ユーザが階層構造を把握しやすいように、現在表示中の画面または現在実行中の機能画面からユーザが指示した遷移先画面へ至る遷移経路をアニメーション表示する。
【００２０】
情報表示装置は、タッチパネルとディスプレイが一体になったタッチディスプレイ、マイク、スピーカなどの入出力デバイスに接続して情報の入出力を行う。ここでは、タッチパネルおよびマイクを入力部１に用い、ディスプレイおよびスピーカを出力部９に用いる。入力部１は、ユーザが操作入力した遷移先画面の情報を受け付けて、遷移位置取得部２へ出力する。遷移位置取得部２は、現在表示中の画面または実行中の機能画面（以下、現在画面と称す）の階層と、ユーザ操作に応じた遷移先画面の階層との関係を遷移表記憶部３から取得する。遷移表記憶部３は、図２に示したように、全ての画面の階層構造、および、画面と機能との紐付けを記憶している。
【００２１】
遷移経路決定部４は、遷移位置取得部２が取得した現在画面と遷移先画面の階層関係に基づいて、遷移先画面が現在画面の下層に位置するときは、現在画面から遷移先画面までの各画面を遷移経路とする。遷移先画面が現在画面の下層以外に位置するときは、最上位階層のトップ画面１０から遷移先画面までの各画面を遷移経路とする。図３に、遷移経路決定部４のルールを示す。
【００２２】
なお、図３の例では、遷移先画面が現在画面の下層以外に位置する場合に、遷移経路の始点を最上位階層の画面にしたが、これに限定されるものではなく、例えば現在画面から最上位階層の画面にいったん戻り、そこから遷移先画面まで辿る遷移経路にしてもよい。また例えば、現在画面がナビ関連の画面（例えば、目的地検索メニュー画面１２）ならナビ関連の最上位階層に相当するナビメニュー画面１１を遷移経路の始点にするなどしてもよい。
【００２３】
遷移間アニメーション取得部５は、遷移経路決定部４が決定した遷移経路に従って、必要な遷移間アニメーションを遷移間アニメーション表記憶部６から取得する。遷移間アニメーション表記憶部６は、画面と画面の間の遷移間アニメーションと効果音を格納している。図４に、遷移間アニメーション表記憶部６の記憶している遷移間アニメーション表を示す。例えば、トップ画面１０からナビメニュー画面１１へ遷移する際に画面表示する遷移間アニメーションとしてアニメＡと効果音とが記憶されており、反対に、ナビメニュー画面１１からトップ画面１０へ遷移する際に画面表示する遷移間アニメーションとしてアニメＡ’と効果音とが記憶されている。なお、各アニメーションの再生に要する時間は同一とする。
【００２４】
図５に、遷移間アニメーションの具体例を示す。図５（ａ）はナビメニュー画面１１から目的地検索メニュー画面１２へ遷移する際のアニメＢの経時変化、図５（ｂ）は目的地検索メニュー画面１２から施設名称検索画面１３へ遷移する際のアニメＣの経時変化、図５（ｃ）は施設名称検索画面１３から施設名称検索結果画面１４へ遷移する際のアニメＤの経時変化を表現している。例えばナビメニュー画面１１から目的地検索メニュー画面１２へ遷移する際、ナビメニュー画面１１が徐々に拡大しながら薄くなっていき、その下から遷移先の目的地検索メニュー画面１２が浮き出るように変化する。また、目的地検索メニュー画面１２に移り変わるタイミング（図中に音符マークで示すタイミング）等で効果音を出力する。このような遷移間アニメーション表現により、あたかも、出力部９の画面に直交する奥行き方向に向かって階層の深い画面が並んだ状態の中をユーザがナビメニュー画面１１から目的地検索メニュー画面１２へ画面内部へ進んだような奥行き方向の視覚効果を得られ、下位の階層に移動したことを直感的に把握しやすくなる。
【００２５】
反対に上位階層の画面に遷移する場合、例えば目的地検索メニュー画面１２が徐々に縮小しながら薄くなっていき、その上に遷移先のナビメニュー画面１１が浮き出るように変化して、上位の階層に移動したことを直感的に把握しやすくなる表現にしてもよいし、単に図５の逆再生でもよい。また、下位階層に遷移する場合の効果音と、上位階層に遷移する場合の効果音を異なる音にしてもよい。
【００２６】
遷移間アニメーション制御部７は、制御条件記憶部８が記憶している制御条件に従って、遷移間アニメーション取得部５が取得した遷移間アニメーションの再生速度を制御する。制御条件記憶部８は、遷移間アニメーションの再生速度を決定する制御条件を格納している。図６に、制御条件記憶部８の記憶している制御条件を示す。この例では、再生速度を遷移階層数（即ち、オブジェクト数）に応じて決定することとし、遷移階層数２を基準値として遷移階層数が２以下のときは１倍速で再生する。遷移階層数が１のとき（通常操作）は、遷移階層数２のときよりも早くアニメーション再生が終了する。他方、遷移階層数が２より大きいときは再生速度を速め、遷移階層数が増えても２階層の時と同じ時間でアニメーション再生が終了するように制御する。
【００２７】
出力部９は、遷移間アニメーション制御部７により再生速度を制御された遷移間アニメーションを画面表示すると共に、再生速度に合わせたタイミングで効果音を出力する。
【００２８】
次に、図７に示すフローチャートを用いて、情報表示装置の動作を説明する。
【００２９】
（例１）目的地検索メニュー画面１２から施設名称検索結果画面１４へのショートカット操作の場合
図８は、例１のショートカット操作時に、情報表示装置の生成する情報一覧を示す。
出力部９が目的地検索メニュー画面１２を表示している場合に、入力部１が施設名称検索結果画面１４へのショートカット操作を受け付けると（ステップＳＴ１）、遷移位置取得部２が遷移表記憶部３を参照して、現在画面である目的地検索メニュー画面１２と遷移先画面である施設名称検索結果画面１４の階層関係を取得し、遷移経路決定部４が図３に示すルールに従って遷移経路を決定する（ステップＳＴ２）。この例１では、施設名称検索結果画面１４が目的地検索メニュー画面１２の下層にあるので、遷移経路は画面１２→画面１３→画面１４となる。
【００３０】
続いて、遷移間アニメーション取得部５が、遷移間アニメーション表記憶部６より画面１２→画面１３に対応するアニメＣとその効果音、画面１３→画面１４に対応するアニメＤとその効果音を取得する（ステップＳＴ３）。遷移階層数が２階層なので、遷移間アニメーション制御部７は、制御条件記憶部８の制御条件に従って再生速度を１倍速に制御し（ステップＳＴ４）、出力部９がアニメＣ，Ｄを１倍速で順番に画面表示すると共に、画面が目的地検索メニュー画面１２から施設名称検索画面１３に変わったタイミングおよび施設名称検索画面１３から施設名称検索結果画面１４に変わったタイミングの計２回、効果音を出力する（ステップＳＴ５）。
【００３１】
（例２）目的地検索メニュー画面１２から全てのコンビニエンスストア一覧画面２５へのショートカット操作の場合
図９は、例２のショートカット操作時に、情報表示装置の生成する情報一覧を示す。
出力部９が目的地検索メニュー画面１２を表示している場合に、入力部１が全てのコンビニエンスストア一覧画面２５へのショートカット操作を受け付けると（ステップＳＴ１）、遷移位置取得部２が遷移表記憶部３を参照して目的地検索メニュー画面１２と全てのコンビニエンスストア一覧画面２５の階層関係を取得し、遷移経路決定部４が図３に示すルールに従って遷移経路を決定する（ステップＳＴ２）。この例２では、全てのコンビニエンスストア一覧画面２５が目的地検索メニュー画面１２の下層にないので、遷移経路が画面１０→画面１１→画面２２→画面２３→画面２４→画面２５となる。
【００３２】
続いて、遷移間アニメーション取得部５が、遷移間アニメーション表記憶部６より画面１０→画面１１に対応するアニメＡとその効果音、画面１１→画面２２に対応するアニメＥとその効果音、画面２２→画面２３に対応するアニメＦとその効果音、画面２３→画面２４に対応するアニメＧとその効果音、画面２４→画面２５に対応するアニメＨとその効果音を取得する（ステップＳＴ３）。遷移階層数が５階層なので、遷移間アニメーション制御部７は、制御条件記憶部８の制御条件に従って再生速度を２．５倍速に制御し（ステップＳＴ４）、出力部９がアニメＡ，Ｅ，Ｆ，Ｇ，Ｈを２．５倍速で順番に画面表示すると共に、画面が変わるタイミングで計５回、効果音を出力する（ステップＳＴ５）。
【００３３】
（例３）目的地検索メニュー画面１２から放送局Ａの選局機能を実行するショートカット操作
図１０は、例３のショートカット操作時に、情報表示装置の生成する情報一覧を示す。
出力部９が目的地検索メニュー画面１２を表示している場合に、入力部１がＡ放送局の選局機能の実行指示を受け付けると（ステップＳＴ１）、遷移位置取得部２が遷移表記憶部３を参照して現在画面である目的地検索メニュー画面１２と、遷移先画面であるＡ放送局の選局機能の紐付いたＦＭラジオ聴取画面３１の階層関係を取得し、遷移経路決定部４が図３に従って遷移経路を決定する（ステップＳＴ２）。この例３では、ＦＭラジオ聴取画面３１が目的地検索メニュー画面１２の下層にないので、遷移経路が画面１０→画面３１となる。
【００３４】
続いて、遷移間アニメーション取得部５が、遷移間アニメーション表記憶部６より画面１０→画面３１に対応するアニメＩとその効果音を取得する（ステップＳＴ３）。遷移階層数が１階層なので、遷移間アニメーション制御部７は制御条件記憶部８の制御条件に従って再生速度を１倍速に制御し（ステップＳＴ４）、出力部９がアニメＩを１倍速で画面表示すると共に、画面が変わるタイミングで１回効果音を出力する（ステップＳＴ５）。
【００３５】
例１〜例３のように、ショートカット操作時にその遷移経路をアニメーション表示することにより、ユーザがショートカットが行われたことを直感的に感じることができる。また、遷移間アニメーションの表示により、ショートカット先までの階層構造を把握することができ、どこへショートカットしたか分かり易い。従って、ユーザの利便性を向上できる。また、例１および例２のように、深い階層をまたぐショートカット操作でも素早く遷移間アニメーションが終了するので、次の操作を待たされることがなく、操作性を損なうことがない。さらに、遷移階層数に応じて遷移間アニメーションの再生速度および効果音の再生間隔が変化することにより、ユーザがショートカット先の階層の深さを把握しやすくなる。また、効果音をテンポ良く再生することによりショートカット操作の気持ちよさを提供することもできる。
【００３６】
なお、上記説明では、遷移間アニメーション制御部７が遷移階層数に応じて遷移間アニメーションの再生速度を制御する構成にしたが、再生時間を制御する構成にしてもよい。以下に、再生時間を制御する例を簡単に説明する。
図１１に、制御条件記憶部８の記憶している制御条件を示す。遷移間アニメーションの再生速度は、各遷移間アニメーションの再生時間の合計時間に応じて決まっており、ここでは合計時間１秒を基準値とし、合計時間が１秒以下のときは１倍速で再生する。他方、合計時間が１秒より長いときは、合計時間が１秒になるように各遷移間アニメーションの再生速度を速める制御を行う。
【００３７】
遷移間アニメーション制御部７は、この制御条件に従って、遷移間アニメーション取得部５が取得した遷移間アニメーションの再生速度を制御する。例えば、上記例１の場合、アニメＣ，Ｄの合計時間が１秒以下なら、遷移間アニメーション制御部７は再生速度を１倍速に制御し、出力部９がアニメＣ，Ｄを１倍速で順番に画面表示する。他方、合計時間が１秒より長ければ、遷移間アニメーション制御部７は合計時間が１秒になる再生速度を計算し、出力部９が計算された再生速度でアニメＣ，Ｄを順番に画面表示する。
この構成の場合、各遷移間アニメーションの再生時間が同一でなくとも、必ず所定時間内に再生を終了できるメリットがある。
【００３８】
以上より、実施の形態１によれば、情報表示装置は、複数の画面および機能の階層構造を記憶している遷移表記憶部３と、任意の画面または機能から階層構造に沿って１つ次の画面または機能へ遷移するときに表示する遷移間アニメーションを記憶している遷移間アニメーション表記憶部６と、遷移先画面または機能の指示をユーザから受け付ける入力部１と、現在画面と遷移先画面の階層関係を遷移表記憶部３から取得する遷移位置取得部２と、現在画面から遷移先画面に至るまでの遷移経路を遷移表記憶部３の階層構造に基づいて決定する遷移経路決定部４と、遷移経路決定部４が決定した遷移経路上に存在する画面間の遷移間アニメーションを遷移間アニメーション表記憶部６から取得する遷移間アニメーション取得部５と、遷移経路決定部４が決定した遷移経路上に存在する遷移階層数に応じて、または遷移間アニメーション取得部５が取得した各遷移間アニメーションの合計時間に応じて、当該各遷移間アニメーションの再生速度を制御する遷移間アニメーション制御部７と、現在画面から遷移先画面にショートカットするときに、遷移間アニメーション取得部５が取得した各遷移間アニメーションを遷移間アニメーション制御部７が制御した再生速度で表示する出力部９とを備えるように構成した。このため、現在画面から遷移先画面までの階層が深い場合でも、遷移間アニメーションを素早く終了することができる。このため、遷移経路をアニメーションで表現してユーザの利便性を確保しつつ、操作性を損なうこともない。
【００３９】
また、実施の形態１によれば、出力部９は、複数の画面のうち、ユーザが選択した画面のみ画面表示し、遷移間アニメーション表記憶部６は、遷移間アニメーションとして、出力部９の画面に直交する奥行き方向に向かって階層順に並んだ画面間を遷移するアニメーションを記憶している構成にした。このため、階層構造を持つ画面間をショートカットする場合に、階層の深さに応じて画面奥行き方向に遷移する視覚効果を得られ、ユーザが階層構造を直感的に把握しやすくなる。
【００４０】
また、実施の形態１によれば、出力部９は、遷移間アニメーション数と同数の効果音を同期して出力する構成にしたので、ユーザが階層構造を直感的に把握しやすくなる。
なお、ショートカットの画面遷移時、効果音の出力は必須ではなく、遷移間アニメーションだけ出力してもよい。
【００４１】
実施の形態２．
上記実施の形態１では、ある画面から別の画面へ階層構造を辿って遷移するときのアニメーション表示制御例を示したが、階層構造に限らず、並列関係の遷移順序で並んだ画面間を移動するときのアニメーション表示を制御することも可能である。
以下、本実施の形態２では、複数のオブジェクトを遷移順序に従って並べて画面表示し、フォーカス中のオブジェクトから遷移先のオブジェクトへフォーカスを移動する場合の遷移間アニメーションの制御例を説明する。なお、本実施の形態２の情報表示装置は、図１に示す情報表示装置と図面上では同様の構成であるため、以下では図１を援用して説明する。
【００４２】
図１２に、カーナビが表示する画面例を示す。ここではカーナビがオーディオ機能、エアコン制御機能、およびナビ機能を有するものとする。図１２に示す横長画面において破線で囲った領域は、現在フォーカスされている機能を大きく画面表示するメイン画面４０、一点鎖線で囲った領域は現在フォーカスされていない機能を小さく画面表示するオーディオサブ画面４１、エアコンサブ画面４２およびナビサブ画面４３である。なお、メイン画面４０は、表示位置毎にメイン画面４０−１，４０−２，４０−３と呼び分けることとする。
なお、本実施の形態２においてオブジェクトとはメイン画面およびサブ画面であり、フォーカス中はサブ画面からメイン画面へ表示態様が変更されるものとする。
【００４３】
オーディオ機能がフォーカスされている場合、図１２（ａ）に示すように、横長画面左側の位置Ｐ１にメイン画面４０−１が位置し、このメイン画面４０−１にＦＭラジオ聴取画面が表示されている。この状態でエアコン機能が選択されると、メイン画面４０−１がＦＭラジオ聴取画面からエアコン制御画面に変化しながら、エアコンサブ画面４２の上を通過して横長画面中央の位置Ｐ２に移動し、図１２（ｂ）のメイン画面４０−２になる。また、メイン画面４０−１が移動すると、その下からオーディオサブ画面４１が現れる。
図１２（ｂ）に示す状態でナビ機能が選択されると、メイン画面４０−２がエアコン制御画面からナビメニュー画面に変化しながら、ナビサブ画面４３の上を通過して横長画面の右側の位置Ｐ３に移動し、図１２（ｃ）のメイン画面４０−３になる。また、メイン画面４０−２が移動するとその下からエアコンサブ画面４２が現れる。
【００４４】
一方、図１２（ａ）に示す状態でナビ機能が選択されると、メイン画面４０−１がＦＭラジオ聴取画面からナビメニュー画面に変化しながら、エアコンサブ画面４２とナビサブ画面４３の上を通過して横長画面の右側の位置Ｐ３に移動し、図１２（ｃ）のメイン画面４０−３になる。また、メイン画面４０−１が移動すると、その下からオーディオサブ画面４１、エアコンサブ画面４２が順に現れる。
【００４５】
このような画面表示構成において、メイン画面４０が位置Ｐ１→Ｐ２へ移動する移動距離は、位置Ｐ１→Ｐ３へ移動する移動距離の２倍になるが、本実施の形態２では移動距離によらずメイン画面４０の移動時間を同じにすることで、移動を表現した遷移間アニメーションの再生終了までのもたつきを無くすようにする。
【００４６】
入力部１は、ユーザが操作入力した、これからフォーカスする機能の情報を受け付けて、遷移位置取得部２へ出力する。遷移位置取得部２は、現在フォーカス中の機能のメイン画面の位置と、これからフォーカスする機能のメイン画面の位置の位置関係に基づいて、遷移先画面が現在画面の右側に位置するときは、メイン画面４０を右側へ移動させる遷移経路とする。遷移先画面が現在画面の左側に位置するときは、メイン画面４０を左側へ移動させる遷移経路とする。図１３に、遷移経路決定部４のルールを示す。
【００４７】
遷移間アニメーション取得部５は、遷移経路決定部４が決定した遷移経路に従って、必要な遷移間アニメーションを遷移間アニメーション表記憶部６から取得する。遷移間アニメーション表記憶部６は、横長画面においてメイン画面が現在フォーカス中の機能の位置から次にフォーカスされる機能の位置へ移動する様子を表現した遷移間アニメーションと効果音とを格納している。図１４に、遷移間アニメーション表記憶部６の記憶している遷移間アニメーション表を示す。例えば、図１２（ａ）の現在画面から図１２（ｂ）の遷移先画面へ遷移する遷移間アニメーションとしてアニメＰと、その効果音とが記憶されている。
【００４８】
図１５に、遷移間アニメーションの具体例を示す。図１５（ａ）は、フォーカスがメイン画面４０−１のＦＭラジオ聴取画面からメイン画面４０−２のエアコン制御画面へ横移動する際のアニメＰの経時変化、図１５（ｂ）は、フォーカスがメイン画面４０−１のＦＭラジオ聴取画面からメイン画面４０−３のナビメニュー画面へ移動する際のアニメＱの経時変化を表現している。例えばフォーカスがメイン画面４０−１からメイン画面４０−２へ移動する際、メイン画面の移動に伴ってメイン画面内がＦＭラジオ聴取画面からエアコン制御画面に変化すると共に、移動中に効果音を出力する。
なお、本実施の形態２では、各遷移間アニメーションの再生に要する時間は任意でよい。図１４ではアニメＰの再生に要する時間は、アニメＱの再生に要する時間より短い。
【００４９】
遷移間アニメーション制御部７は、制御条件記憶部８が記憶している制御条件に従って、遷移間アニメーション取得部５が取得した遷移間アニメーションの再生速度（即ち、フォーカスの移動速度）を制御する。制御条件記憶部８は、遷移間アニメーションの再生速度を決定する制御条件を格納している。図１６（ａ）に、制御条件記憶部８の記憶している制御条件を示す。再生速度はメイン画面４０の移動距離に応じて決まっており、ここでは位置Ｐ１→Ｐ２への移動距離を基準値とし、移動距離が１のときは遷移間アニメーションを１倍速で再生する。他方、位置Ｐ１→Ｐ３のように移動距離が基準値の２倍のときは、遷移間アニメーションを２倍速で再生する。これにより、移動距離が長くなっても基準値と同じ時間内にメイン画面４０のフォーカス移動が終了する。
【００５０】
また、遷移間アニメーション制御部７は、移動距離が長いときに効果音の再生速度を速める、音程を高めるなどして、メイン画面４０の移動速度を表現するような音に制御してもよい。また、メイン画面４０の移動が完了するときにも効果音を出力してユーザに合図してもよい。
【００５１】
なお、図１６（ａ）の例では、移動距離に応じて遷移間アニメーションの再生速度を制御する構成にしたが、上記実施の形態１同様に再生時間を制御する構成にしてもよい。以下に、再生時間を制御する例を簡単に説明する。
図１６（ｂ）に、制御条件記憶部８の記憶している制御条件の別の例を示す。例えば同一画面内でのメイン画面４０の移動時間を移動距離によらず同じ時間で終了させる場合、遷移間アニメーションも移動距離によらず全て１秒以内で再生が終了するように再生速度を制御する。なお、１秒以下で終了する遷移間アニメーションは１秒以内で終了させてしまってもよく、その場合には１秒以上かかる遷移間アニメーションだけ、１秒で再生が終了するように再生速度を制御すればよい。
【００５２】
出力部９は、遷移間アニメーション制御部７により決定された再生速度で遷移間アニメーションを表示すると共に、効果音を出力する。
【００５３】
以上より、実施の形態２によれば、出力部９は、複数のサブ画面を遷移順序に従って並べて画面表示し、フォーカス中のサブ画面を大きなメイン画面として表示し、遷移間アニメーション表記憶部６は、遷移間アニメーションとして、出力部９の画面上に並んだサブ画面上をメイン画面が移動するアニメーションを記憶している構成にした。そして、遷移間アニメーション制御部７は、遷移間アニメーションの合計時間に応じて、またはメイン画面の移動距離に応じて、遷移間アニメーションの再生速度を制御する構成にした。このため、フォーカスの移動距離が長い場合でも、遷移間アニメーションを素早く終了することができ、操作性を損なうことがない。
【００５４】
なお、上記説明では、フォーカス状態を表すメイン画面４０が同一画面内を横方向に移動する例を示したが、移動方向はこれに限定されるものではない。以下に、変形例を説明する。
例えば、図１２（ａ）に示すＦＭラジオ聴取画面（メイン画面４０−１の表示画面）には、中央に選局中のラジオ放送局の周波数が表示されている。この周波数の数字は目盛りと共に画面横方向に並んでおり、放送局の選局に応じて数字と目盛りが横方向に移動する遷移間アニメーションが表示される。この構成の場合、現在選局中の放送局の周波数と、ユーザ操作により選局された次の放送局の周波数とが近い場合は、数字と目盛りの移動距離が短く、他方、周波数がかけ離れている場合は数字と目盛りの移動距離が長くなる。このような画面表示構成において、遷移間アニメーション制御部７が現在の放送局と遷移先の放送局との周波数差分（即ち、移動距離）に応じて数字と目盛りの横方向への移動を表現した遷移間アニメーションの再生速度を制御することにより、遷移間アニメーションの再生終了までもたつくことがない。
【００５５】
また例えば、図１２（ｂ）に示すエアコン制御画面（メイン画面４０−２の表示画面）には、中央に現在設定中の車室内温度が表示されている。この車室内温度を表す数字列は画面縦方向に並んでおり、ユーザ操作に応じて数字列が縦方向に移動する遷移間アニメーションが表示される。この構成の場合、現在設定中の車室内温度と、ユーザ操作により入力された設定温度とが近い場合は、数字列の移動距離が短く、他方、温度がかけ離れている場合は数字列の移動距離が長くなる。このような画面表示構成において、遷移間アニメーション制御部７が現在の設定温度と新たに入力された設定温度との差分（即ち、移動距離）に応じて数字列の縦方向への移動を表現した遷移間アニメーションの再生速度を制御することにより、遷移間アニメーションの再生終了までもたつくことがない。
【００５６】
また例えば、図１２（ｃ）に示すナビメニュー画面（メイン画面４０−３の表示画面）には、地図画像が表示されている。この地図画像を任意の縮尺に変更するとき、現在表示中の地図画像から任意尺度の地図画像へ段階的に拡大または縮小する遷移間アニメーションが表示される。また、任意地点の地図を表示するとき、現在の表示地点から任意地点まで地図画像が移動する遷移間アニメーションが表示される。この構成の場合、現在の縮尺とユーザ操作により入力された縮尺とが近い場合は、その間で表示する縮尺の地図画像数が少なく、他方、縮尺がかけ離れている場合は地図画像数が多くなる。同様に、現在地点と移動先の任意地点とが近い場合は移動距離が短く、他方、移動先の地点がかけ離れている場合は移動距離が長くなる。このような画面表示構成において、遷移間アニメーション制御部７が縮尺の差分または地点間距離に応じて遷移間アニメーションの再生速度を制御することにより、遷移間アニメーションの再生終了までもたつくことがない。
【００５７】
また例えば、図２に示す施設名称検索画面１３には、ユーザ発話の音声認識結果（例えば、コンビニＡ）がテキスト表示されている。例えば音声認識結果「コンビニＡ」の５文字を、コ→ン→ビ→ニ→Ａの順に表示する際に、遷移間アニメーション制御部７が文字数に応じて、テキスト表示を表現した遷移間アニメーションの再生速度を制御することも可能である。これにより、テキストを１文字ずつ表示していくといった表示方法の工夫をしつつ、文字数が少ないテキストの表示に要する時間と文字数が多いテキストの表示に要する時間を同じにでき、テキスト表示完了までもたつくことがない。
【００５８】
また例えば、図１７では、同一画面内に複数のオブジェクト５１〜５７を一列に表示し、フォーカス中のオブジェクトからユーザが指示したオブジェクトまで、各オブジェクトの大きさを順に変更することにより、フォーカスの移動を表現する遷移間アニメーションの例を示す。図１７（ａ）において、ユーザ操作によりオブジェクト５１が選択されて拡大表示されている。この状態で次にオブジェクト５４が選択されると、オブジェクト５１を元の大きさに縮小し、オブジェクト５２、オブジェクト５３を順に拡大および縮小し、オブジェクト５４を拡大して図１７（ｂ）の状態に遷移にする。
また、図１７（ａ）の状態においてオブジェクト５７が選択されると、オブジェクト５１を元の大きさに縮小し、オブジェクト５２〜５６を順に拡大および縮小し、オブジェクト５７を拡大して図１７（ｃ）の状態に遷移する。
このような画面表示構成において、遷移間アニメーション制御部７が、現在選択中のオブジェクトから次に選択されたオブジェクトまでの距離に応じて、オブジェクトのサイズ変更で表現するフォーカスの移動速度を制御することにより、移動距離が長い場合でも遷移間アニメーションの終了までもたつくことがない。
【００５９】
また例えば、図１８では、同一画面内に複数のオブジェクト６１〜６３を一列に表示し、各オブジェクトの明るさを変更することにより、フォーカスの移動を表現する遷移間アニメーションの例を示す。図１８（ａ）において、ユーザ操作によりオブジェクト６１が選択されて明るく表示されている。この状態で次にオブジェクト６２が選択されると、オブジェクト６１の明るさを元に戻し、オブジェクト６２を明るくして図１８（ｂ）の状態に遷移する。
また、図１８（ａ）の状態においてオブジェクト６３が選択されると、オブジェクト６１の明るさを元に戻し、オブジェクト６２を明るくして元に戻し、オブジェクト６３を明るくして図１８（ｃ）の状態に遷移する。
このような画面表示構成において、遷移間アニメーション制御部７が、現在選択中のオブジェクトから次に選択されたオブジェクトまでの距離に応じて、オブジェクトの明るさ変更で表現するフォーカスの移動速度を制御することにより、移動距離が長い場合でも遷移間アニメーションの終了までもたつくことがない。
【００６０】
なお、上記実施の形態１，２に係る情報表示装置をコンピュータで構成する場合、入力部１、遷移位置取得部２、遷移表記憶部３、遷移経路決定部４、遷移間アニメーション取得部５、遷移間アニメーション表記憶部６、遷移間アニメーション制御部７、制御条件記憶部８、出力部９の処理内容を記述している表示切替プログラムをコンピュータのメモリに格納し、コンピュータのＣＰＵがメモリに格納されている表示切替プログラムを実行するようにしてもよい。
【００６１】
また、本願発明はその発明の範囲内において、各実施の形態の自由な組み合わせ、あるいは各実施の形態の任意の構成要素の変形、もしくは各実施の形態において任意の構成要素の省略が可能である。
【産業上の利用可能性】
【００６２】
以上のように、この発明に係る情報表示装置は、ショートカット操作時に表示する遷移間アニメーションの再生速度を制御するようにしたので、階層構造のメニューを持つカーナビゲーションシステム、家電機器、ＦＡ機器などのＧＵＩに用いるのに適している。
【符号の説明】
【００６３】
１  入力部、２  遷移位置取得部、３  遷移表記憶部、４  遷移経路決定部、５  遷移間アニメーション取得部、６  遷移間アニメーション表記憶部、７  遷移間アニメーション制御部、８  制御条件記憶部、９  出力部、１０  トップ画面、１１  ナビメニュー画面、１２  目的地検索メニュー画面、１３  施設名称検索画面、１４  施設名称検索結果画面、２２  周辺施設一覧画面、２３  買い物一覧画面、２４  コンビニエンスストア一覧画面、２５  全てのコンビニエンスストア一覧画面、３１  ＦＭラジオ聴取画面、４０，４０−１〜４０−３  メイン画面、４１  オーディオサブ画面、４２  エアコンサブ画面、４３  ナビサブ画面、５１〜５７，６１〜６３  オブジェクト。
【図１】
2014013529.tif 000003
【図２】
2014013529.tif 000004
【図３】
2014013529.tif 000005
【図４】
2014013529.tif 000006
【図５】
2014013529.tif 000007
【図６】
2014013529.tif 000008
【図７】
2014013529.tif 000009
【図８】
2014013529.tif 000010
【図９】
2014013529.tif 000011
【図１０】
2014013529.tif 000012
【図１１】
2014013529.tif 000013
【図１２】
2014013529.tif 000014
【図１３】
2014013529.tif 000015
【図１４】
2014013529.tif 000016
【図１５】
2014013529.tif 000017
【図１６】
2014013529.tif 000018
【図１７】
2014013529.tif 000019
【図１８】
2014013529.tif 000020
【手続補正書】
【提出日】平成26年6月2日(2014.6.2)
【手続補正１】
【補正対象書類名】明細書
【補正対象項目名】０００７
【補正方法】変更
【補正の内容】
【０００７】
この発明の情報表示装置は、複数のオブジェクトの遷移順序を記憶している遷移表記憶部と、任意のオブジェクトから遷移順序に沿って別のオブジェクトへフォーカスを移動するときに表示する遷移間アニメーションを記憶している遷移間アニメーション表記憶部と、フォーカスするオブジェクトの指示を外部から受け付ける入力部と、フォーカス中のオブジェクトから入力部がフォーカス指示を受け付けた遷移先のオブジェクトに至るまでの遷移経路を、遷移順序に基づいて決定する遷移経路決定部と、遷移経路決定部が決定した遷移経路上に存在する各オブジェクトの遷移間アニメーションを、遷移間アニメーション表記憶部から取得する遷移間アニメーション取得部と、遷移経路決定部が決定した遷移経路上に存在するオブジェクト数に応じて、または遷移間アニメーション取得部が取得した各遷移間アニメーションの合計時間に応じて、予め定められた時間でアニメーションの再生が終了するように当該各遷移間アニメーションの再生速度を制御する遷移間アニメーション制御部と、フォーカス中のオブジェクトから遷移先のオブジェクトへフォーカスを移動するときに、遷移間アニメーション取得部が取得した各遷移間アニメーションを遷移間アニメーション制御部が制御した再生速度で表示する出力部とを備えるものである。
【手続補正２】
【補正対象書類名】明細書
【補正対象項目名】０００８
【補正方法】変更
【補正の内容】
【０００８】
この発明の表示切替方法は、遷移順序が規定された複数のオブジェクトのうち、フォーカスするオブジェクトの指示を外部から受け付ける入力ステップと、フォーカス中のオブジェクトから入力ステップでフォーカス指示を受け付けた遷移先のオブジェクトに至るまでの遷移経路を、遷移順序に基づいて決定する遷移経路決定ステップと、任意のオブジェクトから遷移順序に沿って別のオブジェクトへフォーカスを移動するときに表示する遷移間アニメーションを記憶している遷移間アニメーション表記憶部から、遷移経路決定ステップで決定した遷移経路上に存在する各オブジェクトの遷移間アニメーションを取得する遷移間アニメーション取得ステップと、遷移経路決定ステップで決定した遷移経路上に存在するオブジェクト数に応じて、または遷移間アニメーション取得ステップで取得した各遷移間アニメーションの合計時間に応じて、予め定められた時間でアニメーションの再生が終了するように当該各遷移間アニメーションの再生速度を制御する遷移間アニメーション制御ステップと、フォーカス中のオブジェクトから遷移先のオブジェクトへフォーカスを移動するときに、遷移間アニメーション取得ステップで取得した各遷移間アニメーションを遷移間アニメーション制御ステップで制御した再生速度で表示する出力ステップとを備えるものである。
【手続補正３】
【補正対象書類名】明細書
【補正対象項目名】０００９
【補正方法】変更
【補正の内容】
【０００９】
この発明の表示切替プログラムは、複数のオブジェクトの遷移順序を記憶している遷移表記憶手段と、任意のオブジェクトから遷移順序に沿って別のオブジェクトへフォーカスを移動するときに表示する遷移間アニメーションを記憶している遷移間アニメーション表記憶手段と、フォーカスするオブジェクトの指示を外部から受け付ける入力手段と、フォーカス中のオブジェクトから入力手段がフォーカス指示を受け付けた遷移先のオブジェクトに至るまでの遷移経路を、遷移順序に基づいて決定する遷移経路決定手段と、遷移経路決定手段が決定した遷移経路上に存在する各オブジェクトの遷移間アニメーションを、遷移間アニメーション表記憶手段から取得する遷移間アニメーション取得手段と、遷移経路決定手段が決定した遷移経路上に存在するオブジェクト数に応じて、または遷移間アニメーション取得手段が取得した各遷移間アニメーションの合計時間に応じて、予め定められた時間でアニメーションの再生が終了するように当該各遷移間アニメーションの再生速度を制御する遷移間アニメーション制御手段と、フォーカス中のオブジェクトから遷移先のオブジェクトへフォーカスを移動するときに、遷移間アニメーション取得手段が取得した各遷移間アニメーションを遷移間アニメーション制御手段が制御した再生速度で表示する出力手段とを、コンピュータに実行させるものである。
【手続補正４】
【補正対象書類名】特許請求の範囲
【補正対象項目名】全文
【補正方法】変更
【補正の内容】
【特許請求の範囲】
【請求項１】
複数のオブジェクトの遷移順序を記憶している遷移表記憶部と、
任意のオブジェクトから前記遷移順序に沿って別のオブジェクトへフォーカスを移動するときに表示する遷移間アニメーションを記憶している遷移間アニメーション表記憶部と、
フォーカスするオブジェクトの指示を外部から受け付ける入力部と、
フォーカス中のオブジェクトから前記入力部がフォーカス指示を受け付けた遷移先のオブジェクトに至るまでの遷移経路を、前記遷移順序に基づいて決定する遷移経路決定部と、
前記遷移経路決定部が決定した遷移経路上に存在する各オブジェクトの遷移間アニメーションを、前記遷移間アニメーション表記憶部から取得する遷移間アニメーション取得部と、
前記遷移経路決定部が決定した遷移経路上に存在するオブジェクト数に応じて、または前記遷移間アニメーション取得部が取得した各遷移間アニメーションの合計時間に応じて、予め定められた時間でアニメーションの再生が終了するように当該各遷移間アニメーションの再生速度を制御する遷移間アニメーション制御部と、
前記フォーカス中のオブジェクトから前記遷移先のオブジェクトへフォーカスを移動するときに、前記遷移間アニメーション取得部が取得した各遷移間アニメーションを前記遷移間アニメーション制御部が制御した再生速度で表示する出力部とを備える情報表示装置。
【請求項２】
前記出力部は、複数のオブジェクトのうち、フォーカス中のオブジェクトのみ画面表示し、
前記遷移間アニメーション表記憶部は、遷移間アニメーションとして、前記出力部の画面に直交する奥行き方向に向かって遷移順序に従って並んだオブジェクト間を遷移するアニメーションを記憶していることを特徴とする請求項１記載の情報表示装置。
【請求項３】
前記出力部は、複数のオブジェクトを遷移順序に従って並べて画面表示し、フォーカス中のオブジェクトをその他のオブジェクトとは異なる表示態様で表示し、
前記遷移間アニメーション表記憶部は、遷移間アニメーションとして、前記出力部の画面上に並んだ前記オブジェクト間をフォーカスが移動するアニメーションを記憶していることを特徴とする請求項１記載の情報表示装置。
【請求項４】
前記遷移間アニメーション制御部は、フォーカスの移動距離に応じて、遷移間アニメーションの再生速度を制御することを特徴とする請求項３記載の情報表示装置。
【請求項５】
前記出力部は、遷移間アニメーション数と同数の効果音を同期して出力することを特徴とする請求項１記載の情報表示装置。
【請求項６】
遷移順序が規定された複数のオブジェクトのうち、フォーカスするオブジェクトの指示を外部から受け付ける入力ステップと、
フォーカス中のオブジェクトから前記入力ステップでフォーカス指示を受け付けた遷移先のオブジェクトに至るまでの遷移経路を、前記遷移順序に基づいて決定する遷移経路決定ステップと、
任意のオブジェクトから前記遷移順序に沿って別のオブジェクトへフォーカスを移動するときに表示する遷移間アニメーションを記憶している遷移間アニメーション表記憶部から、前記遷移経路決定ステップで決定した遷移経路上に存在する各オブジェクトの遷移間アニメーションを取得する遷移間アニメーション取得ステップと、
前記遷移経路決定ステップで決定した遷移経路上に存在するオブジェクト数に応じて、または前記遷移間アニメーション取得ステップで取得した各遷移間アニメーションの合計時間に応じて、予め定められた時間でアニメーションの再生が終了するように当該各遷移間アニメーションの再生速度を制御する遷移間アニメーション制御ステップと、
前記フォーカス中のオブジェクトから前記遷移先のオブジェクトへフォーカスを移動するときに、前記遷移間アニメーション取得ステップで取得した各遷移間アニメーションを前記遷移間アニメーション制御ステップで制御した再生速度で表示する出力ステップとを備える表示切替方法。
【請求項７】
複数のオブジェクトの遷移順序を記憶している遷移表記憶手段と、
任意のオブジェクトから前記遷移順序に沿って別のオブジェクトへフォーカスを移動するときに表示する遷移間アニメーションを記憶している遷移間アニメーション表記憶手段と、
フォーカスするオブジェクトの指示を外部から受け付ける入力手段と、
フォーカス中のオブジェクトから前記入力手段がフォーカス指示を受け付けた遷移先のオブジェクトに至るまでの遷移経路を、前記遷移順序に基づいて決定する遷移経路決定手段と、
前記遷移経路決定手段が決定した遷移経路上に存在する各オブジェクトの遷移間アニメーションを、前記遷移間アニメーション表記憶手段から取得する遷移間アニメーション取得手段と、
前記遷移経路決定手段が決定した遷移経路上に存在するオブジェクト数に応じて、または前記遷移間アニメーション取得手段が取得した各遷移間アニメーションの合計時間に応じて、予め定められた時間でアニメーションの再生が終了するように当該各遷移間アニメーションの再生速度を制御する遷移間アニメーション制御手段と、
前記フォーカス中のオブジェクトから前記遷移先のオブジェクトへフォーカスを移動するときに、前記遷移間アニメーション取得手段が取得した各遷移間アニメーションを前記遷移間アニメーション制御手段が制御した再生速度で表示する出力手段とを、コンピュータに実行させるための表示切替プログラム。
【手続補正書】
【提出日】平成27年7月24日(2015.7.24)
【手続補正１】
【補正対象書類名】明細書
【補正対象項目名】０００７
【補正方法】変更
【補正の内容】
【０００７】
この発明の情報表示装置は、複数のオブジェクトの遷移順序を記憶している遷移表記憶部と、任意のオブジェクトから遷移順序に沿って別のオブジェクトへフォーカスを移動するときに表示する遷移間アニメーションを記憶している遷移間アニメーション表記憶部と、遷移順序が規定された複数のオブジェクトのうちフォーカスする任意の遷移先のオブジェクトの指示を外部から受け付ける入力部と、フォーカス中のオブジェクトから入力部がフォーカス指示を受け付けた遷移先のオブジェクトに至るまでの遷移経路を、遷移順序に基づいて決定する遷移経路決定部と、遷移経路決定部が決定した遷移経路上に存在する各オブジェクトの遷移間アニメーションを、遷移間アニメーション表記憶部から取得する遷移間アニメーション取得部と、フォーカス中のオブジェクトから任意の遷移先のオブジェクトに至るまでの遷移経路上に存在するオブジェクト数、または各遷移間アニメーションの合計時間に応じて、予め定められた時間でアニメーションの再生が終了する再生速度の制御条件を記憶している制御条件記憶部と、遷移経路決定部が決定した遷移経路上に存在するオブジェクト数、または遷移間アニメーション取得部が取得した各遷移間アニメーションの合計時間に対応する制御条件に従って各遷移間アニメーションの再生速度を制御する遷移間アニメーション制御部と、遷移間アニメーション取得部が取得した各遷移間アニメーションを遷移間アニメーション制御部により制御される再生速度で表示する出力部とを備えるものである。
【手続補正２】
【補正対象書類名】明細書
【補正対象項目名】０００８
【補正方法】変更
【補正の内容】
【０００８】
この発明の表示切替方法は、遷移順序が規定された複数のオブジェクトのうち、フォーカスする任意の遷移先のオブジェクトの指示を外部から受け付ける入力ステップと、フォーカス中のオブジェクトから入力ステップでフォーカス指示を受け付けた遷移先のオブジェクトに至るまでの遷移経路を、遷移順序に基づいて決定する遷移経路決定ステップと、任意のオブジェクトから遷移順序に沿って別のオブジェクトへフォーカスを移動するときに表示する遷移間アニメーションを記憶している遷移間アニメーション表記憶部から、遷移経路決定ステップで決定した遷移経路上に存在する各オブジェクトの遷移間アニメーションを取得する遷移間アニメーション取得ステップと、フォーカス中のオブジェクトから任意の遷移先のオブジェクトに至るまでの遷移経路上に存在するオブジェクト数、または各遷移間アニメーションの合計時間に応じて、予め定められた時間でアニメーションの再生が終了する再生速度の制御条件を記憶している制御条件記憶ステップと、遷移経路決定ステップが決定した遷移経路上に存在するオブジェクト数、または遷移間アニメーション取得ステップが取得した各遷移間アニメーションの合計時間に対応する制御条件に従って各遷移間アニメーションの再生速度を制御する遷移間アニメーション制御ステップと、遷移間アニメーション取得ステップで取得した各遷移間アニメーションを遷移間アニメーション制御ステップにより制御される再生速度で表示する出力ステップとを備えるものである。
【手続補正３】
【補正対象書類名】明細書
【補正対象項目名】０００９
【補正方法】変更
【補正の内容】
【０００９】
この発明の表示切替プログラムは、複数のオブジェクトの遷移順序を記憶している遷移表記憶手段と、任意のオブジェクトから遷移順序に沿って別のオブジェクトへフォーカスを移動するときに表示する遷移間アニメーションを記憶している遷移間アニメーション表記憶手段と、遷移順序が規定された前記複数のオブジェクトのうちフォーカスする任意の遷移先のオブジェクトの指示を外部から受け付ける入力手段と、フォーカス中のオブジェクトから入力手段がフォーカス指示を受け付けた遷移先のオブジェクトに至るまでの遷移経路を、遷移順序に基づいて決定する遷移経路決定手段と、遷移経路決定手段が決定した遷移経路上に存在する各オブジェクトの遷移間アニメーションを、遷移間アニメーション表記憶手段から取得する遷移間アニメーション取得手段と、フォーカス中のオブジェクトから任意の遷移先のオブジェクトに至るまでの遷移経路上に存在するオブジェクト数、または各遷移間アニメーションの合計時間に応じて、予め定められた時間でアニメーションの再生が終了する再生速度の制御条件を記憶している制御条件記憶手段と、遷移経路決定手段が決定した遷移経路上に存在するオブジェクト数、または遷移間アニメーション取得手段が取得した各遷移間アニメーションの合計時間に対応する制御条件に従って各遷移間アニメーションの再生速度を制御する遷移間アニメーション制御手段と、遷移間アニメーション取得手段が取得した各遷移間アニメーションを遷移間アニメーション制御手段により制御される再生速度で表示する出力手段とを、コンピュータに実行させるものである。
【手続補正４】
【補正対象書類名】明細書
【補正対象項目名】００１０
【補正方法】変更
【補正の内容】
【００１０】
この発明によれば、フォーカス中のオブジェクトから遷移先のオブジェクトへフォーカスを移動するときに表示する各遷移間アニメーションの再生速度を、遷移経路上に存在するオブジェクト数、または各遷移間アニメーションの合計時間に応じた制御条件に従って制御することにより、ショートカット先までの遷移経路が長い場合でも予め定められた時間で遷移間アニメーションを終了することができる。このため、遷移経路をアニメーションで表現してユーザの利便性を確保しつつ、操作性を損なわない情報表示装置、表示切替方法および表示切替プログラムを提供することができる。
【手続補正５】
【補正対象書類名】特許請求の範囲
【補正対象項目名】全文
【補正方法】変更
【補正の内容】
【特許請求の範囲】
【請求項１】
複数のオブジェクトの遷移順序を記憶している遷移表記憶部と、
任意のオブジェクトから前記遷移順序に沿って別のオブジェクトへフォーカスを移動するときに表示する遷移間アニメーションを記憶している遷移間アニメーション表記憶部と、
遷移順序が規定された前記複数のオブジェクトのうちフォーカスする任意の遷移先のオブジェクトの指示を外部から受け付ける入力部と、
フォーカス中のオブジェクトから前記入力部がフォーカス指示を受け付けた遷移先のオブジェクトに至るまでの遷移経路を、前記遷移順序に基づいて決定する遷移経路決定部と、
前記遷移経路決定部が決定した遷移経路上に存在する各オブジェクトの遷移間アニメーションを、前記遷移間アニメーション表記憶部から取得する遷移間アニメーション取得部と、
前記フォーカス中のオブジェクトから任意の遷移先のオブジェクトに至るまでの遷移経路上に存在するオブジェクト数、または各遷移間アニメーションの合計時間に応じて、予め定められた時間でアニメーションの再生が終了する再生速度の制御条件を記憶している制御条件記憶部と、
前記遷移経路決定部が決定した遷移経路上に存在するオブジェクト数、または前記遷移間アニメーション取得部が取得した各遷移間アニメーションの合計時間に対応する前記制御条件に従って各遷移間アニメーションの再生速度を制御する遷移間アニメーション制御部と、
前記遷移間アニメーション取得部が取得した各遷移間アニメーションを前記遷移間アニメーション制御部により制御される再生速度で表示する出力部とを備える情報表示装置。
【請求項２】
前記出力部は、複数のオブジェクトのうち、フォーカス中のオブジェクトのみ画面表示し、
前記遷移間アニメーション表記憶部は、遷移間アニメーションとして、前記出力部の画面に直交する奥行き方向に向かって遷移順序に従って並んだオブジェクト間を遷移するアニメーションを記憶していることを特徴とする請求項１記載の情報表示装置。
【請求項３】
前記出力部は、複数のオブジェクトを遷移順序に従って並べて画面表示し、フォーカス中のオブジェクトをその他のオブジェクトとは異なる表示態様で表示し、
前記遷移間アニメーション表記憶部は、遷移間アニメーションとして、前記出力部の画面上に並んだ前記オブジェクト間をフォーカスが移動するアニメーションを記憶していることを特徴とする請求項１記載の情報表示装置。
【請求項４】
前記出力部は、遷移間アニメーション数と同数の効果音を同期して出力することを特徴とする請求項１記載の情報表示装置。
【請求項５】
複数のオブジェクトの遷移順序を記憶している遷移表記憶部と、
前記遷移順序に従って並べて表示された前記オブジェクト間をフォーカスが移動する遷移間アニメーションを記憶している遷移間アニメーション表記憶部と、
遷移順序に従って画面表示される前記複数のオブジェクトのうちフォーカスする任意の遷移先のオブジェクトの指示を外部から受け付ける入力部と、
フォーカス中のオブジェクトから前記入力部がフォーカス指示を受け付けた遷移先のオブジェクトに至るまでの遷移経路を、前記遷移順序に基づいて決定する遷移経路決定部と、
前記遷移経路決定部が決定した遷移経路上に存在する各オブジェクトの遷移間アニメーションを、前記遷移間アニメーション表記憶部から取得する遷移間アニメーション取得部と、
前記フォーカス中のオブジェクトから前記任意の遷移先のオブジェクトへフォーカスを移動する距離に応じて、予め定められた時間でアニメーションの再生が終了する再生速度の制御条件を記憶している制御条件記憶部と、
前記フォーカス中のオブジェクトから前記入力部が受け付けた遷移先のオブジェクトまでの移動距離に対応する前記制御条件に従って各遷移間アニメーションの再生速度を制御する遷移間アニメーション制御部と、
複数のオブジェクトを遷移順序に従って並べて画面表示し、フォーカス中のオブジェクトをその他のオブジェクトとは異なる表示態様で表示し、前記遷移間アニメーション取得部が取得した各遷移間アニメーションを前記遷移間アニメーション制御部により制御される再生速度で表示する出力部とを備える情報表示装置。
【請求項６】
遷移順序が規定された複数のオブジェクトのうち、フォーカスする任意の遷移先のオブジェクトの指示を外部から受け付ける入力ステップと、
フォーカス中のオブジェクトから前記入力ステップでフォーカス指示を受け付けた遷移先のオブジェクトに至るまでの遷移経路を、前記遷移順序に基づいて決定する遷移経路決定ステップと、
任意のオブジェクトから前記遷移順序に沿って別のオブジェクトへフォーカスを移動するときに表示する遷移間アニメーションを記憶している遷移間アニメーション表記憶部から、前記遷移経路決定ステップで決定した遷移経路上に存在する各オブジェクトの遷移間アニメーションを取得する遷移間アニメーション取得ステップと、
前記フォーカス中のオブジェクトから任意の遷移先のオブジェクトに至るまでの遷移経路上に存在するオブジェクト数、または各遷移間アニメーションの合計時間に応じて、予め定められた時間でアニメーションの再生が終了する再生速度の制御条件を記憶している制御条件記憶ステップと、
前記遷移経路決定ステップが決定した遷移経路上に存在するオブジェクト数、または前記遷移間アニメーション取得ステップが取得した各遷移間アニメーションの合計時間に対応する前記制御条件に従って各遷移間アニメーションの再生速度を制御する遷移間アニメーション制御ステップと、
前記遷移間アニメーション取得ステップで取得した各遷移間アニメーションを前記遷移間アニメーション制御ステップにより制御される再生速度で表示する出力ステップとを備える表示切替方法。
【請求項７】
複数のオブジェクトの遷移順序を記憶している遷移表記憶手段と、
任意のオブジェクトから前記遷移順序に沿って別のオブジェクトへフォーカスを移動するときに表示する遷移間アニメーションを記憶している遷移間アニメーション表記憶手段と、
遷移順序が規定された前記複数のオブジェクトのうちフォーカスする任意の遷移先のオブジェクトの指示を外部から受け付ける入力手段と、
フォーカス中のオブジェクトから前記入力手段がフォーカス指示を受け付けた遷移先のオブジェクトに至るまでの遷移経路を、前記遷移順序に基づいて決定する遷移経路決定手段と、
前記遷移経路決定手段が決定した遷移経路上に存在する各オブジェクトの遷移間アニメーションを、前記遷移間アニメーション表記憶手段から取得する遷移間アニメーション取得手段と、
前記フォーカス中のオブジェクトから任意の遷移先のオブジェクトに至るまでの遷移経路上に存在するオブジェクト数、または各遷移間アニメーションの合計時間に応じて、予め定められた時間でアニメーションの再生が終了する再生速度の制御条件を記憶している制御条件記憶手段と、
前記遷移経路決定手段が決定した遷移経路上に存在するオブジェクト数、または前記遷移間アニメーション取得手段が取得した各遷移間アニメーションの合計時間に対応する前記制御条件に従って各遷移間アニメーションの再生速度を制御する遷移間アニメーション制御手段と、
前記遷移間アニメーション取得手段が取得した各遷移間アニメーションを前記遷移間アニメーション制御手段により制御される再生速度で表示する出力手段とを、コンピュータに実行させるための表示切替プログラム。
【請求項８】
複数のオブジェクトの遷移順序を記憶している遷移表記憶部と、
任意のオブジェクトから前記遷移順序に沿って別のオブジェクトへフォーカスを移動するときに表示する遷移間アニメーションを記憶している遷移間アニメーション表記憶部と、
フォーカスするオブジェクトの指示を外部から受け付ける入力部と、
フォーカス中のオブジェクトから前記入力部がフォーカス指示を受け付けた遷移先のオブジェクトに至るまでの遷移経路を、前記遷移順序に基づいて決定する遷移経路決定部と、
前記遷移経路決定部が決定した遷移経路上に存在する各オブジェクトの遷移間アニメーションを、前記遷移間アニメーション表記憶部から取得する遷移間アニメーション取得部と、
前記遷移経路決定部が決定した遷移経路上に存在するオブジェクト数に応じて、または前記遷移間アニメーション取得部が取得した各遷移間アニメーションの合計時間に応じて、予め定められた時間でアニメーションの再生が終了するように当該各遷移間アニメーションの再生速度を制御する遷移間アニメーション制御部と、
前記フォーカス中のオブジェクトから前記遷移先のオブジェクトへフォーカスを移動するときに、前記遷移間アニメーション取得部が取得した各遷移間アニメーションを前記遷移間アニメーション制御部が制御した再生速度で表示する出力部とを備え、
前記出力部は、複数のオブジェクトのうち、フォーカス中のオブジェクトのみ画面表示し、
前記遷移間アニメーション表記憶部は、遷移間アニメーションとして、前記出力部の画面に直交する奥行き方向に向かって遷移順序に従って並んだオブジェクト間を遷移するアニメーションを記憶していることを特徴とする情報表示装置。
【国際調査報告】
2014013529.tif 000021
2014013529.tif 000022